(57)【要約】【課題】壁材の種類を選ばない外装材の取り付けが可能であって、構成部材の離脱による損傷を生じ難いロッキング対応の外装材取付構造を提供すること。【解決手段】躯体１の表面へ揺動可能に壁材２を取り付け、この壁材２へ外装材３を揺動可能に取り付けてロッキングに対応させる外装材の取付構造において、上記壁材２は、上部と下部を躯体に固定した水平ガイド４と水平ガイド５に支持させて揺動可能にするとともに、表側の一側端側に、複数の胴縁取付部材６を壁材２との相対変位が可能となるように両端で取り付け、上記複数の胴縁取付部材６には、胴縁７に付設した胴縁支持材８を中央部へ接合することで胴縁７がそれぞれ取付られ、上記各胴縁７には、外装材３が胴縁７に対応する部分を止着することにより揺動可能に取り付けられていること。【選択図】図１
2008133697.tif 000002
【特許請求の範囲】
【請求項１】
躯体の表面に揺動可能に壁材を取り付け、この壁材に外装材を揺動可能に取り付けてロッキングに対応させる外装材の取付構造において、
上記壁材は、上部と下部を躯体に固定した水平ガイドに支持させて揺動可能にするとともに、表側の一側端側に複数の胴縁取付部材を壁材との相対変位が可能となるように両端で取り付け、
上記複数の胴縁取付部材には、胴縁に付設した胴縁支持材を中央部に接合することで胴縁がそれぞれ取付られ、
上記各胴縁には、外装材が胴縁に対応する部分を止着することにより揺動可能に取り付けられている
ことを特徴とするロッキング対応の外装材取付構造。
【請求項２】
上記胴縁取付部材が、両端に同心の円弧形長孔をあけられて、これら円弧形長孔を貫通するボルト等で壁材に取り付けられ、壁材との相対変位を可能とされている
ことを特徴とする請求項１に記載のロッキング対応の外装材取付構造。
【請求項３】
上記胴縁取付部材の複数を壁材の一側端側に取り付ける位置が、一側端より等距離に設定されている
ことを特徴とする請求項１又は請求項２に記載のロッキング対応の外装材取付構造。
【請求項４】
上記胴縁取付部材が滑り材を挟んで壁材に取り付られ、壁材と胴縁取付部材との相対変位が容易に行われるようにされている
ことを特徴とする請求項１〜請求項３のいずれかに記載のロッキング対応の外装材取付構造。
【請求項５】
上記胴縁支持材が、胴縁への接合片に前後方向の長孔を形成されて、胴縁との接合位置の調整ができるようにされている
ことを特徴とする請求項１〜請求項４のいずれかに記載のロッキング対応の外装材取付構造。
【請求項６】
上記胴縁支持材の一部のものが、壁材の胴縁取付部材を取り付けられる一側端とは反対端の近くまで延びる延長部を設けられ、この延長部で胴縁へ接合されている
ことを特徴とする請求項１〜請求項５のいずれかに記載のロッキング対応の外装材取付構造。
【請求項７】
上記胴縁と胴縁支持材が山座金を挟んで接合され、相対変位が起るとき変位吸収を山座金で行わせるようにしてある
ことを特徴とする請求項１〜請求項６のいずれかに記載のロッキング対応の外装材取付構造。
【発明の詳細な説明】
【技術分野】
【０００１】
本発明は、建物の躯体へロッキングに対応した外装材の取り付けを行なう外装材取付構造に関する。
【背景技術】
【０００２】
従来、押出成形セメント板への仕上げ材取付構造において、押出成型セメント板の上下端面を躯体に支持して、該押出成形セメント板を、前記躯体表面と平行な面方向で揺動可能に取り付け、前記押出成形セメント板の幅方向に水平に連続する仕上げ材取付用下地金物を、前記押出成形セメント板の表面側幅方向中央部で固定し、前記仕上げ材取付用下地金物に前記仕上げ材を取り付けることは知られている。（例えば、特許文献１参照）
【特許文献１】特開２０００−１４５０９２号
【０００３】
しかしながら、上記仕上げ材取付構造は、仕上げ材取付用下地金物を、押出成形セメント板の表面側幅方向の中央部に固定するものであって、この中央位置が金物取り付けに適した構造と強度を有するように設計された特殊の押出成形セメント板以外では、仕上げ材の取り付けを行なうことができないものであり、また、仕上げ材取付用下地金物を壁材に取り付けるには、下地金物の中心に通したボルトを押出成形セメント板に支持されるナットへ螺合させて行なうため、押出成形セメント板が揺動するとナットが回転されて、取り付けの離脱を生じ易いという問題点があった。
【発明の開示】
【発明が解決しようとする課題】
【０００４】
本発明は前記問題点を解決し、壁材に胴縁取付部材を取付ける位置及び構造を改善することで、壁材の種類を選ばない外装材の取り付けができて、震動等に基づく相対変位によって構成部材の離脱による損傷を生じ難いロッキング対応の外装材取付構造を提供することをその課題とする。
【課題を解決するための手段】
【０００５】
上記課題を解決するため本発明のロッキング対応の外装材取付構造は、躯体の表面に揺動可能に壁材を取り付け、この壁材に外装材を揺動可能に取り付けてロッキングに対応させる外装材の取付構造において、上記壁材は、上部と下部を躯体に固定した水平ガイドに支持させて揺動可能にするとともに、表側の一側端側に複数の胴縁取付部材を壁材との相対変位が可能となるように両端で取り付け、上記複数の胴縁取付部材には、胴縁に付設した胴縁支持材を中央部に接合することで胴縁がそれぞれ取付られ、上記各胴縁には、外装材が胴縁に対応する部分を止着することにより揺動可能に取り付けられていることを特徴とする。
【０００６】
請求項２に係る発明は、上記胴縁取付部材が、両端に同心の円弧形長孔をあけられ、これら円弧形長孔を貫通するボルト等で壁材に取り付けられて、壁材との相対変位を可能とされていることを特徴とする。
【０００７】
請求項３に係る発明は、上記胴縁取付部材の複数を壁材の一側端側に取り付ける位置が、一側端より等距離に設定されていることを特徴とする。
【０００８】
請求項４に係る発明は、上記胴縁取付部材が滑り材を挟んで壁材に取り付られ、壁材と胴縁取付部材との相対変位が容易に行われるようにされていることを特徴とする。
【０００９】
請求項５に係る発明は、上記胴縁支持材が、胴縁への接合片に前後方向の長孔を形成されて、胴縁との接合位置の調整ができるようにされていることを特徴とする。
【００１０】
請求項６に係る発明は、上記胴縁支持材の一部のものが、壁材の胴縁取付部材を取り付けられる一側端とは反対端の近くまで延びる延長部を設けられ、この延長部で胴縁と接合されていることを特徴とする。
【００１１】
請求項７に係る発明は、上記胴縁と胴縁支持材が山座金を挟んで接合され、相対変位が起きたときの変位吸収を山座金で行なわせることを特徴とする。
【発明の効果】
【００１２】
請求項１に係る発明によれば、壁材の一側端側に胴縁取付部材を両端で取り付けるため、壁材がＡＬＣ、押出成型セメント板、プレキャストコンクリートの何れであっても取り付けが可能であって、しかも、胴縁取付部材の両端の取り付けは、壁材との相対変位が可能となるように行なわれるから、地震等で壁材が揺れても胴縁取付部材は水平揺動を起こし、胴縁の水平状態を保持し続けるため、胴縁取付部材と胴縁支持材との接合部に接合を離脱する力が働かないので、離脱による損傷を生ずることがない。また、胴縁への外装材の取り付けは、止着によって揺動可能に行われるから、壁材の揺動によって各胴縁の位置ずれが起ると、外装材は壁材に追随した揺動を行って地震等の揺れを吸収する。
【００１３】
請求項２に係る発明によれば、胴縁取付部材の両端に円弧形長孔を設けて、この円弧形長孔に通したボルト等で胴縁取付部材を壁材に取り付けてあるから、壁材が地震等で揺動しても、ボルトが円弧形長孔内を移動するだけで、胴縁取付部材は水平揺動を起こし、胴縁の水平状態を保持し続けるので、胴縁支持材との接合部に離脱を起す力を抑制させて接合の離脱を起すことがない。
【００１４】
請求項３に係る発明によれば、胴縁取付部材を壁材の一側端側に取り付けると、胴縁取付部材に取り付けた胴縁の遊動部が少なくなって、強度の保持に有効であり、また、各胴縁取付部材の取付位置を壁材の一側端から等距離に揃えれば、壁材の揺動に伴う各胴縁の水平移動が円滑に行なわれて、外装材を揺れに応じて揺動させて損傷を生じさせない。
【００１５】
請求項４に係る発明によれば、壁材とこれに取り付けた胴縁取付部材との間に滑り材を挟むと、地震等の揺れで壁材が揺動するとき、滑り材がこの揺動を胴縁取付部材へ伝えないように作用するため、胴縁取付部材が壁材に追随揺動して、胴縁支持材との接合の外れを起こすことをより有効に防止できる。
【００１６】
請求項５に係る発明によれば、胴縁への接合片に前後方向の長孔を形成すると、この長孔の範囲でボルトを移動させて、胴縁の壁材よりの出寸法を任意に調整することができる。
【００１７】
請求項６に係る発明によれば、胴縁支持材の一部のものに壁材の一側端とは反対側端の近くまで延びる延長部を設け、この部分に胴縁を取り付ければ、反対側端の胴縁の遊動部が短くなって強度の保持に有効である。
【００１８】
請求項７に係る発明によれば、胴縁支持材を山座金を挟んで胴縁に取り付けると、胴縁と胴縁支持材の相対変位が起るとき、山座金によって変位をさらに効果的に吸収させることができる。
【発明を実施するための最良の形態】
【００１９】
以下に本発明に係るロッキング対応の外装材取付構造の実施形態を図面に付いて説明する。
【００２０】
この実施形態のロッキング対応の外装材取付構造は、図１に示す通り、躯体１の表面へ揺動可能に壁材２を取り付け、この壁材２へ外装材３を揺動可能に取り付けてロッキングに対応させる目的のものであって、上記壁材２は、上部と下部を図２に示す通り、躯体１に固定した水平ガイド４と水平ガイド５に支持させて揺動可能とするとともに、表側の一側端側に図５、図７、図８等に示す通り、複数の胴縁取付部材６を壁材２との相対変位が可能となるように両端で取り付け、上記複数の胴縁取付部材６には、胴縁７に付設した胴縁支持材８を中央部へ接合することで胴縁７がそれぞれ取付られて、これら胴縁７には図６に示す通り、外装材３の対応部分が一点の止着によって揺動可能に取り付けられていることを特徴とする。
【００２１】
上記壁材２は、外壁用として提供されるＡＬＣ、押出成型セメント板、プレキャストコンクリート、その他のものを任意に選択して使用することができ、この壁材２を躯体１へ取り付けるには、地震等の揺れ（ロッキング）に対して揺動可能とする必要がある。このため、躯体１に図２に示す通り、Ｌ形をなす長尺の水平ガイド４と水平ガイド５を、水平片４ａと水平片５ａを躯体１（Ｉビーム）へ溶接することで固定して、壁材２の背面には、該背面との間に水平ガイド４の垂直部４ｂ及び水平ガイド５の垂直部５ｂが収まる形状の摺動体１０と摺動体１１を、内側に滑り板１２を着装してボルト１３で取り付け、これら摺動体１０及び摺動体１１を、水平ガイド４の垂直部４ｂ及び水平ガイド５の垂直部５ｂに係合させて、水平ガイド４と水平ガイド５に案内された壁材２の揺動が行なわれるようにしてある。
【００２２】
また、水平ガイド５は、図１、図２に示す通り、垂直部５ｂの摺動体１１へ係合する部分とは反対側にＬ形をなす壁材２の受部材１４を溶接等で固定して、この受部材１４の水平片１４ａで壁材２の下端面を支持させ、垂直片１４ｂで壁材２の背面を受けさせることで、壁材２の荷重を躯体１に受けさせるようにしてある。
【００２３】
上記胴縁取付部材６は、図３に示す通り、アルミニウムの押出成形した長尺状のハット型材を短く切断して形成し、壁材２に当る両端部に同一中心の円弧状長孔１５、円弧状長孔１５を対応してあけ、壁材２から離隔する中央部には中心に１個のねじ孔１６を形成してある。そして、上記円弧状長孔１５、円弧状長孔１５にボルト１７、ボルト１７を通して、このボルト１７、ボルト１７を壁材２の一側端側に装着したナット１８、ナット１８へ螺合すると、胴縁取付部材６が壁材２に相対変位が可能となるように取り付けられるものであり、この相対変位を容易に行なわせるため、壁材２と胴縁取付部材６との間には滑り板１９を挟むようにする。滑り板１９はＬ形材を短く切断して形成し、その水平片８ａには前後方向の直状長孔２０を離隔して２個あけ、垂直片８ｂの中央には胴縁取付部材６の中央部にあけたねじ孔１６に合せて１個の孔２１ａをあけてあり、この孔２１ａにボルト２２を通して、胴縁取付部材６の中央に設けたねじ孔１６に螺合すると、胴縁支持材８が胴縁取付部材６の中央部に固定されるようにする。
【００２４】
上記胴縁７は、図１及び図３、図４に示す通り角筒の下部にあり溝２３が形成される断面形状にアルミニウムの押出成形で形成した長尺材であって、あり溝２３にボルト２４の頭２４ａを係合させて希望位置に移動させ、このボルト２４が長孔２０を通るように胴縁７の下側に胴縁支持材８の水平片８ａを当てる。そして、ボルト２４にナット２５をかけて仮締めし、２個のうち一方の長孔２０内でボルト２４を移動させて胴縁７の壁材２よりの出寸法を調整して、適当な寸法になったとき、ナット２５を本締めして胴縁７を胴縁支持材８に固定するようにする。なお、ボルト２４は左右の長孔２０のうちどちらか一方にとりつければよいが、統一するのが好ましい。
【００２５】
上記外装材３は、図１、図６においてはアルミニウムの押出成形、鋼板のプレス成形で形成したスパンドレルを用いているが、このスパンドレルに限定されるものではなく、石材、陶板、大型タイル、セラミック等も使用できるものであって、これら外装材３の胴縁７への取り付けは、地震等による揺れが起るとこれに応じた揺動を可能にするため、外装材３の各胴縁７に対応する部分を、図６に示す通り一側端側でねじ２６に取り付ける１点止とすることができる。
【００２６】
上記構成のロッキング対応の外装材取付構造は、平常時は壁材２が図７に示す通りの垂立状態で静止しているので、壁材２へ胴縁支持材８と胴縁取付部材６で取り付けられている胴縁７は、上下方向の並びが一線上に揃う状態で静止している。このため、各胴縁７に対応する部位を止着される外装材３は垂立した状態で静止している。
【００２７】
しかし、地震等が発生して躯体１を揺らすと、上部と下部に取り付けた摺動体１０、摺動体１１を水平ガイド４と水平ガイド５に揺動可能に支持される壁材２は、躯体１の揺れに伴って図８に示す通りに揺動し、これに連れてボルト１７、ボルト１７も揺動するが、ボルト１７、ボルト１７で壁材２に取り付けられる胴縁取付部材６は、円弧状長孔１５、円弧状長孔１５の中をボルト１７、ボルト１７が遊動するため、水平揺動を起こし胴縁７の水平状態を保持し続けながら壁材２の揺れによって位置変位を生じ、胴縁７の上下方向の並びを図８に示す通りにずらされるから、各胴縁７に対応する部位をねじ２６で止着される外装材３は、図８に示す通り壁材２と同様に揺動するものであって、このような揺動が行われることで地震等の揺れによる相対変位は吸収される。なお、胴縁７と胴縁支持部材８も、１個のボルト２４のみで結合されているため、相対移動が可能であり、上記変位を吸収することができる。
【００２８】
図９〜図１２は上記実施形態の一部分の変形例を示すものであって、変形部分は胴縁取付部材６と胴縁支持材８との接合構造と、胴縁支持材８と胴縁７との接合構造及び一部分の胴縁支持材８の構造の変更であるから、これらの変更部分に付いて以下に説明し、前記実施例と同一の部分については同一符号を付して説明は省略する。
【００２９】
胴縁取付部材６と胴縁支持材８との接合構造は、胴縁取付部材６に、図１０に示す通り２個のねじ孔１６、ねじ孔１６を離隔させて形成し、これらねじ孔１６、ねじ孔１６に対応させて、胴縁支持材８の垂直片８ｂに２個の上下方向の長孔２１ｂ、長孔２１ｂをあけ、これら長孔２１ｂ、長孔２１ｂに通したボルト２２、ボルト２２を胴縁取付部材６のねじ孔１６、ねじ孔１６へ螺合させることで、長孔２１ｂ、長孔２１ｂ内のボルト２２、ボルト２２の移動で胴縁支持材８を上下方向へ移動させて胴縁７の高さ寸法を調整ができるようにしてある。
【００３０】
胴縁７と胴縁支持材８との接合構造は、胴縁７と胴縁支持材８をボルト２４とナット２５で接合する際、胴縁７の下面と胴縁支持材８の水平片８ａとの間に山座金２７を挟んで胴縁７と胴縁支持材８とを接合することで、多方向に変位が可能となり、地震等の揺れで胴縁７と胴縁支持材８との相対位置を変化させる力が働いたとき、山座金によってこの変位を吸収して胴縁７等の部材の損傷を防止するようにしてある。
【００３１】
上記の通り胴縁取付部材６は壁材２の一側端側に取り付けられるため、一側端には近くて胴縁７の胴縁取付部材６に支持されない遊動部は短くて胴縁の強度には問題がない。しかし、反対端から胴縁取付部材６までの距離は図５に示す通り一側端側からの数倍にもなり、この部分は胴縁取付部材６に支持されない遊動部であって、強度不足によるトラブルを生じ易い。そこで、この現象を生ずる部分に用いる一部分の胴縁支持材８の構造を変更して、図１２に示す通り胴縁支持材８に壁材２の他側端側まで延びる延長部８ｃを設け、この延長部８ｃにボルト２４とナット２５で胴縁７を固定することで強度不足を生じないようにしてトラブルの発生を防止する事ができる。
【産業上の利用可能性】
【００３２】
本発明は、建造物の躯体へロッキングに対応するように外装材を任意の壁材で損傷し難いように取り付けるのに利用できる。
【図面の簡単な説明】
【００３３】
【図１】本発明に係るロッキング対応の外装材取付構造を示す一部分の縦断側面図。
【図２】躯体への壁材の取付状態を示す一部分の縦断側面図。
【図３】胴縁とこの胴縁を壁材へ取り付ける各部材の構造を示す斜視図。
【図４】胴縁を各部材によって壁材へ取り付けた状態を示す斜視図。
【図５】複数の壁材に跨って胴縁が胴縁取付部材で取り付けられている状態を示す斜視図。
【図６】ロッキング対応の外装材取付構造の一部分を示す横断平面図。
【図７】ロッキング対応の外装材取付構造が原型を保っている状態を示す一部分の正面図。
【図８】ロッキング対応の外装材取付構造が揺動した状態を示す一部分の正面図。
【図９】ロッキング対応の外装材取付構造の一部分を変形させた形態を示す一部分の縦断側面図。
【図１０】胴縁とこの胴縁を壁材へ取り付ける各部材との構造を示す斜視図。
【図１１】胴縁を各部材によって壁材へ取り付けた状態を示す斜視図。
【図１２】複数の壁材に跨って胴縁が胴縁取付部材で取り付けられている状態を示す斜視図。
【符号の説明】
【００３４】
１  躯体
２  壁材
３  外装材
４、５  水平ガイド
６  胴縁取付部材
７  胴縁
８  胴縁支持材
【図１】
2008133697.tif 000003
【図２】
2008133697.tif 000004
【図３】
2008133697.tif 000005
【図４】
2008133697.tif 000006
【図５】
2008133697.tif 000007
【図６】
2008133697.tif 000008
【図７】
2008133697.tif 000009
【図８】
2008133697.tif 000010
【図９】
2008133697.tif 000011
【図１０】
2008133697.tif 000012
【図１１】
2008133697.tif 000013
【図１２】
2008133697.tif 000014